(57)【要約】      （修正有）【課題】安価で小型化が可能なスライド型電子部品を用い、切り替え操作は、回転式で行なうことができる、スライド型電子部品の回転式操作構造を提供する。【解決手段】携帯端末機に組み込まれたスライドスイッチ６１と、回転させられるとスライドスイッチのスライドノブをスライド操作できるアクチュエータ４０と、アクチュエータ４０にクリック感覚を与える押し子３０および圧縮コイルスプリング３９と、中心軸を携帯端末機の筐体２０の前面２１ａに穿設された結合用貫通孔を通してアクチュエータに結合させ、筐体外部からアクチュエータを回転させることによって、スライドスイッチのスライドノブをスライド操作することができる回転式ノブとを有する。【選択図】図２
2008153058.tif 000002
【特許請求の範囲】
【請求項１】
携帯端末機の筐体内部に組み込まれ、作動部が直線方向にスライド操作されるスライド型電子部品と、
筐体内部に配置され、回転させられるとスライド型電子部品の作動部をスライド操作するアクチュエータと、
中心軸を筐体に穿設された結合用貫通孔を通してアクチュエータに結合させ、筐体外部からアクチュエータを回転させることによって、スライド型電子部品の作動部をスライド操作することができる回転式ノブとを有する、スライド型電子部品の回転式操作構造。
【請求項２】
請求項１に記載のスライド型電子部品の回転式操作構造において、
アクチュエータにスライド操作方向切り替えのクリック感覚を付与する押し子および圧縮コイルスプリングを有する、スライド型電子部品の回転式操作構造。
【請求項３】
請求項１または２に記載のスライド型電子部品の回転式操作構造において、
回転式ノブの中心軸を筐体に穿設された結合用貫通孔を通してアクチュエータに結合させる際に、回転式ノブの中心軸に弾性リングを外嵌させてアクチュエータに結合させ、弾性リングが筐体と回転式ノブとに挟まれ、防水効果を発揮するように組み立てられる、スライド型電子部品の回転式操作構造。
【請求項４】
請求項３に記載のスライド型電子部品の回転式操作構造において、
アクチュエータと結合される回転式ノブの筐体に対面する側の表面には中心軸周りに所定角度の範囲の回転角度規定溝が穿設され、その回転角度規定溝に対応する筐体側の位置には、回転角度規定突起部が形成されており、回転式ノブとアクチュエータとが結合される際に、回転角度規定突起部は回転角度規定溝にはまり、回転式ノブの回転角度の範囲を回転角度規定溝の範囲に規定する、スライド型電子部品の回転式操作構造。
【発明の詳細な説明】
【技術分野】
【０００１】
本発明は、スライド型電子部品の回転式操作構造に関し、特に、プリント基板に搭載して回路の操作に用いることができる安価で小型のスライド型電子部品を用いるにもかかわらず、外部での操作は、回転式ノブで行なうことができるスライド型電子部品の回転式操作構造に関する。
【背景技術】
【０００２】
図６は、従来の携帯端末機（携帯電話機など）に用いられている電子部品（例えば、回転式スイッチ）の回転式操作構造を説明するための断面図である。すなわち、筐体７０の中に組み込まれたプリント基板９０の外縁に回転式スイッチ９１が搭載されている。回転式スイッチ９１の切り替え軸９２には回転式ノブ８０が差し込まれており、回転式ノブ８０を回転させることにより、回転式スイッチ９１の切り替えを行なっている。
【発明の開示】
【発明が解決しようとする課題】
【０００３】
上述した従来の回転式スイッチは、価格が高くコストアップとなり、サイズが大きいために携帯端末機などの小型化設計の目的には合致しないが、他方、どうしても回転式の操作をさせたいという要望がある。
【０００４】
本発明は、上述した問題を解決するためになされたものであり、安価で小型化が可能なスライド型電子部品（典型的な例としてスライドスイッチ）を用いるとともに、切り替え操作は、回転式で行なうことができるという、スライド型電子部品の回転式操作構造を提供することを目的とする。
【課題を解決するための手段】
【０００５】
上述した課題を解決するために、本発明に係るスライド型電子部品の回転式操作構造は、携帯端末機の筐体内部に組み込まれ、作動部が直線方向にスライド操作されるスライド型電子部品と、筐体内部に配置され、回転させられるとスライド型電子部品の作動部をスライド操作するアクチュエータと、中心軸を筐体に穿設された結合用貫通孔を通してアクチュエータに結合させ、筐体外部からアクチュエータを回転させることによって、スライド型電子部品の作動部をスライド操作することができる回転式ノブとを有する。
【０００６】
この発明は上述のように構成されているので、携帯端末機の筐体内部に組み込まれるスライド型電子部品は、安価で小型化が容易であり、他方、外部での操作動作は、アクチュエータを介しての回転式ノブを回転することで行なうことができる。
【０００７】
また、この発明は、アクチュエータにスライド操作方向切り替えのクリック感覚を付与する押し子および圧縮コイルスプリングを有する。クリック感覚が必要な場合に対応可能である。
【０００８】
また、この発明において、回転式ノブの中心軸を筐体に穿設された結合用貫通孔を通してアクチュエータに結合させる際に、回転式ノブの中心軸に弾性リングを外嵌させてアクチュエータに結合させ、弾性リングが筐体と回転式ノブとに挟まれ、防水効果を発揮するように組み立てられるのが好ましい。このようにすれば簡単な構造で防水を行なうことができる。
【０００９】
さらに、この発明において、アクチュエータと結合される回転式ノブの筐体に対面する側の表面には中心軸周りに所定角度の範囲の回転角度規定溝が穿設され、その回転角度規定溝に対応する筐体側の位置には、回転角度規定突起部が形成されており、回転式ノブとアクチュエータとが結合される際に、回転角度規定突起部は回転角度規定溝にはまり、回転式ノブの回転角度の範囲を回転角度規定溝の範囲に規定するのが好ましい。この場合、スライド型電子部品のスライド動作範囲に合わせて回転角度規定溝を穿設すれば、スライド型電子部品に過剰な力が加わることなく良好な切り替えあるいは調節が行なわれる。
【発明の効果】
【００１０】
この発明のスライド型電子部品の回転式操作構造において、携帯端末機の筐体内部に組み込まれるスライド型電子部品は、安価で小型化が容易であり、外部での操作動作は、アクチュエータを介して回転式ノブを回転することで行なうことができる。したがって、外部からみれば回転式操作構造であるが、実質的には小型で安価なスライド型電子部品で構成したことになる。
【発明を実施するための最良の形態】
【００１１】
以下、本発明の実施の形態について図面を参照しつつ説明する。図１は、この発明のスライド型電子部品の回転式操作構造を適用した携帯端末機の実施の形態を示す組み立て図、図２は、図１の組み立て図に従って組み上がった状態を示す断面図、図３は、図１および図２で示されるアクチュエータと押し子との関係を示す図、図４は、図１および図２に示される筐体の回転式ノブ組み付け穴と回転式ノブとの関係を説明するための図である。なお、スライド型電子部品としては、スライドスイッチやスライドボリュームなど各種の部品があるが、以降においては、典型的なスライド型電子部品としてスライドスイッチを用いた場合について説明する。
【００１２】
図１および図２に示されるように、携帯端末機１００における回転式操作構造の各部は、回転式ノブ１０とＯリング１９を除いて、前面２１ａ、側面２１ｂ，２１ｃ、上面２１ｄ、底面２１ｅ、および、不図示の後面からなる筐体２０の中に収納されている。筐体２０の前面２１ａの一部にノブ取り付け部２２が形成されている。そのノブ取り付け部２２の中心近傍には、回転式ノブ１０とスライドスイッチ切り替え用のアクチュエータ４０とを結合するための結合用貫通孔２３が前面２１ａを貫通するように垂直にあけられている。また、ノブ取り付け部２２の内側の筐体底面側には、押し子ガイドリブ２７，２８が配置されている。これらの押し子ガイドリブ２７，２８は、結合用貫通孔２３の中心線を通る底面２１ｅへの垂直面に対して面対称になるように配置されている。
【００１３】
先ず、押し子３０の中央下部にある間隙に圧縮コイルスプリング３９を装着し、結合用貫通孔２３の下部に配置された押し子ガイドリブ２７，２８の間に圧縮コイルスプリング３９の反発力に抗して押し子３０を押し込む。この場合、完全に押し込みが行なわれれば、図３に示されるように、押し子３０の肩部３１ａ，３２ａが押し子ガイドリブ２７，２８の屈曲部２７ａ，２８ａにホールドされる。そこで、押し子３０のクリック突起３３の上方の右（または左）にアクチュエータ４０のクリック突起４４がくるように配置する。他方、回転式ノブ１０の回転軸１１にＯリング１９を外嵌し、その回転軸１１を結合用貫通孔２３に通し、回転軸１１の２つに割れている前方部分を、筐体２０の内側に配置されたアクチュエータ４０の結合孔４９（図３）に挿入する。挿入が完全に行なわれると、回転軸１１の２つに割れている部分の先端部にあるフック１１ａ，１１ｂが外向きの弾性力によりアクチュエータ４０から外れないように結合する。
【００１４】
上述の場合に、筐体２０の前面２１ａに形成されたノブ取り付け部２２の外面側において、結合用貫通孔２３の周囲にＯリング収納用リブ２５が図４（Ｂ）に示されるように形成される。組み立て完了時に、この円形のＯリング収納用リブ２５と、回転式ノブ１０の回転軸１１との間にはＯリング１９が配置され防水効果をもたらす。また、アクチュエータ４０と結合される回転式ノブ１０の筐体に対面する側の表面には中心軸周りに所定角度の範囲の回転角度規定溝１６が図４（Ａ）に示されるように穿設され、その回転角度規定溝１６に対応する筐体側の位置には、回転角度規定突起部２６が形成されており（図４（Ｂ））、回転式ノブ１０とアクチュエータ４０とが結合される際に、回転角度規定突起部２６が回転角度規定溝１６に嵌合し、回転式ノブ１０の回転角度の範囲を回転角度規定溝１６の範囲に規定する。この場合、スライドスイッチのスライド切り替え動作範囲に合わせて回転角度規定溝１６を穿設すれば、スライドスイッチに過剰な力が加わることなく良好な切り替え（スライドボリュームなどの場合は調節）が行なわれる。
【００１５】
上述の回転式ノブの回転と押し子の動作について図５（Ａ）ないし図５（Ｇ）を参照して説明する。図５（Ａ）ないし図５（Ｃ）は、回転ノブ１０の切り替え状態の外観を示しており、図５（Ｄ）ないし図５（Ｆ）は、図５（Ａ）ないし図５（Ｃ）の場合における内部の状態を示している。また、図５（Ｇ）は、図５（Ｅ）の“Ｑ”で示された部分の拡大図である。
【００１６】
回転式ノブ１０が図５（Ａ）で示されている角度位置にされた場合には、アクチュエータ４０は、図５（Ｄ）に示されるように左側に傾き、切り替え突起４２（図３参照）によってプリント基板６０に設けられたスライドスイッチ６１のスライドノブ６１ａを左に寄せ、第１のスイッチ設定状態にする。この状態においては、押し子３０は、最も上方の位置にあるように、圧縮コイルスプリング３９によって付勢され、アクチュエータ４０を図５（Ｄ）の状態に保とうとする。回転式ノブ１０を図５（Ａ）の状態から図５（Ｃ）の状態に切り替える場合、途中で図５（Ｂ）の状態になる。
【００１７】
図５（Ｂ）の状態においては、図５（Ｅ）および図５（Ｇ）に示すように、アクチュエータ４０のクリック突起４４と、押し子３０のクリック突起３３とは正対して突き当たる。この場合、押し子３０は、圧縮コイルスプリング３９の付勢に対抗するアクチュエータ４０のクリック突起４４からの押圧力によって押し下げられている。さらに、回転式ノブ１０の回転が進むと、クリック突起４４は、クリック突起３３から外れ、圧縮コイルスプリング３９の反発力を受けるクリック突起３３はアクチュエータ４０の回転に付勢を与えるように上昇する。
【００１８】
図５（Ｆ）の状態になると、アクチュエータ４０は、図示のように右側に傾き、切り替え突起４１によってスライドスイッチ６１のスライドノブ６１ａを右に寄せ、第２のスイッチ設定状態にする。このように、クリック突起３３とクリック突起４４とが圧縮コイルスプリング３９の反発力を受けながら切り替わることにより回転式ノブ１０にクリック感覚を発生させ、スイッチの切り替わりがはっきりするため、スイッチの切り替え操作感を良好にする。もちろん、クリック感覚が不要であれば、押し子や圧縮コイルスプリングは削除してもよいし、あるいは、アクチュエータ４０のクリック突起４４は平らにし、押し子が一定の圧力をアクチュエータに加えるようにしてもよい。
【図面の簡単な説明】
【００１９】
【図１】この発明のスライド型電子部品の回転式操作構造を適用した携帯端末機の実施の形態を示す組み立て図である。
【図２】図１の組み立て図に従って組み上がった状態を示す部分断面図である。
【図３】図１および図２で示されたアクチュエータと押し子との関係を示す図である。
【図４】図１および図２に示される筐体の回転式ノブ組み付け穴と回転式ノブとの関係を説明するための図である。
【図５】（Ａ）〜（Ｃ）は、回転ノブの切り替え状態の外観である回転位置を示す図であり、（Ｄ）〜（Ｆ）は、（Ａ）〜（Ｃ）の場合における内部の状態を示す断面図であり、（Ｇ）は、（Ｅ）の“Ｑ”で示された部分の拡大図である。
【図６】携帯端末機に用いられている従来の回転式スイッチ用いた回転式操作構造を説明するための断面図である。
【符号の説明】
【００２０】
１０  回転式ノブ、１１  回転軸、１１ａ，１１ｂ  フック、１６  回転角度規定溝、１９  Ｏリング、２０  筐体、２１ａ  前面、２１ｂ，２１ｃ  側面、２１ｄ  上面、２１ｅ  底面、２２  ノブ取り付け部、２３  結合用貫通孔、２５  Ｏリング収納用リブ、２６  回転角度規定突起部、２７，２８  押し子ガイドリブ、３０  押し子、３３，４４  クリック突起、４０  アクチュエータ、
４１，４２  切り替え突起、４９  結合孔、６０  プリント基板、６１  スライドスイッチ、６１ａ  スライドノブ、１００  携帯端末機。
【図１】
2008153058.tif 000003
【図２】
2008153058.tif 000004
【図３】
2008153058.tif 000005
【図４】
2008153058.tif 000006
【図５】
2008153058.tif 000007
【図６】
2008153058.tif 000008